(57)【要約】      （修正有）【課題】  消費電力が比較的小さい電気機器に使用するＡＣアダプタのみにフィルタの適用対象を限定するようにして、ＰＬＣシステムのコストを低減する。【解決手段】  ＡＣアダプタ５は、電力線３に通じるＡＣ入力部１０と、交流電流を直流電流に変換するＡＣ／ＤＣコンバータ１１と、変換後の直流電流が出力されるＤＣコード１２とを有している。ＰＬＣモデム７は、ＤＣコード１２が接続されるＤＣ入力部と、これに接続されたＤＣ電源回路と、変復調回路と、ＤＣ入力部からの直流電流をネットワーク端末８側に供給するためのＤＣ出力部２０と、変復調回路に接続された通信ポートとを有している。そして、商用電流を通過させるローパスフィルタがＡＣ／ＤＣコンバータ１１の商用電源側に接続され、電力線３中の通信信号を取り出してＰＬＣモデム７の変復調回路に入力するためのバイパス信号路が設けられている。【選択図】  図１
2007005982.tif 000002
【特許請求の範囲】
【請求項１】
情報通信のための信号伝送路として兼用されている電力線に通じるＡＣ入力部と、このＡＣ入力部に入力された交流電流を直流電流に変換するＡＣ／ＤＣコンバータと、変換後の直流電流が出力されるＤＣコードとを有するＡＣアダプタと、
前記ＤＣコードが接続されるＤＣ入力部と、このＤＣ入力部に接続されたＤＣ電源回路と、このＤＣ電源回路で駆動される変復調回路と、前記ＤＣ入力部からの直流電流をネットワーク端末側に供給するためのＤＣ出力部と、前記変復調回路に接続された通信ポートとを有するＰＬＣモデムと、
前記ＡＣ／ＤＣコンバータの商用電源側に接続されかつ前記電力線中の商用電流を通過させるローパスフィルタと、
このローパスフィルタの商用電源側において前記電力線中の通信信号を取り出して前記ＰＬＣモデムの変復調回路に入力するためのバイパス信号路と、
を備えていることを特徴とする電力線通信装置。
【請求項２】
前記ＡＣアダプタは前記ネットワーク端末用の専用品であるとともに、このＡＣアダプタの商用電源側に信号結合器が接続され、
この信号結合器の内部に、前記ローパスフィルタと、このローパスフィルタの商用電源側に接続されかつ前記電力線中の前記通信信号を通過させるハイパスフィルタとが設けられ、
前記バイパス信号路は、前記ハイパスフィルタを前記ＰＬＣモデムの変復調回路に接続する信号ケーブルからなる請求項１に記載の電力線通信装置。
【請求項３】
前記ＡＣアダプタの内部に、前記ローパスフィルタと、前記電力線中の前記通信信号を通過させるハイパスフィルタと、このハイパスフィルタを経路中に含みかつ前記ローパスフィルタと前記ＡＣ／ＤＣコンバータとをバイパスして同ローパスフィルタの商用電源側と前記ＤＣコードに接続された第一信号線とが設けられ、
前記ＰＬＣモデムの内部に、前記ＤＣコード中の直流を通過させる第二のローパスフィルタと、前記ＤＣコード中の前記通信信号を通過させる第二のハイパスフィルタと、このハイパスフィルタを経路中に含みかつ前記第二のローパスフィルタと前記ＤＣ電源とをバイパスして同ローパスフィルタの前記ＤＣ入力部側と前記変復調回路に接続された第二信号線とが設けられ、
前記バイパス信号路は、前記ＡＣアダプタ内の前記第一信号線と、同ＡＣアダプタと前記ＰＬＣモデムとを結ぶ前記ＤＣコードと、前記ＰＬＣモデム内の前記第二信号線とからなる請求項１に記載の電力線通信装置。
【請求項４】
情報通信のための信号が重畳されている電力線中の商用電流をＡＣアダプタで直流電流に変換し、この直流電流により、ネットワーク端末とこの端末に通信可能に接続されたＰＬＣモデムとを駆動するようにした電力線通信装置の電源方式であって、
前記ＡＣアダプタのＡＣ／ＤＣコンバータの商用電源側に接続されかつ前記電力線中の商用電流を通過させるローパスフィルタと、このローパスフィルタの商用電源側において前記電力線中の通信信号を取り出して前記ＰＬＣモデムの変復調回路に入力するためのバイパス信号路と、を備えていることを特徴とする電力線通信装置の電源方式。
【発明の詳細な説明】
【技術分野】
【０００１】
本発明は、電力線を情報通信の通信媒体として利用する電力線通信装置とその電源方式に関するものである。
【背景技術】
【０００２】
電力線通信システム（以下、ＰＬＣシステムという。）は、商用周波数（一般的には５０Ｈｚ又は６０Ｈｚ）の商用電流が流れる電力線に、通信信号としての高周波信号（数ｋＨｚから高いものでは数十ＭＨｚ以上に及ぶ。）を重畳して通信を行うものである。このようなＰＬＣは専用の通信回線を使用することなく、各家屋等に引き込まれた既設の電力線（配電線あるいは電灯線とも呼ばれる。）を利用して、大容量のデータ送受信が可能であるシステムとして注目されている。
【０００３】
上記ＰＬＣシステムでは電力線を利用して通信信号の搬送を行うため、ユーザーの宅内での配線は、通常、例えば図７のようになる。
すなわち、ＰＬＣ用の宅内モデム（子機：以下、単にＰＬＣモデムという。）４０がコンセント４１に接続されて商用電流を受けて動作するとともに、他のコンセント４２にパソコン等のネットワーク端末４３が接続されて商用電源を受けて動作する。また、ＰＬＣモデム４０は、ＬＡＮケーブル４４等を介してネットワーク端末４３に接続されており、電力線４５に重畳された通信信号を変復調してそのネットワーク端末４３とデータ通信を行うようになっている。
【０００４】
上記の配線では、ネットワーク端末４３やコンセントに接続されるその他の家庭内の電気機器（図示せず。）から発生するノイズやインピーダンスロスがＰＬＣモデム４０の通信性能に影響し、通信エラーが発生したり通信距離が短縮することがある。
そこで、コンセントの中継接続具やＡＣコードの先端部に設けたプラグの内部に、電気機器のノイズや通信信号の周波数に対しては高インピーダンスとなり、かつ、商用電流の周波数（５０Ｈｚ又は６０Ｈｚ）に対しては低インピーダンスとなるローパスフィルタを内蔵したフィルタ装置が知られている。
従って、このフィルタ装置によれば、コンセントに接続される電気機器によるノイズやインピーダンスロスの影響が低減されるので、信頼性の高い通信が可能となるとともに、通信距離を長大化できる効果がある（特許文献１参照）。
【０００５】
【特許文献１】特開平１０−６５５８３号公報
【発明の開示】
【発明が解決しようとする課題】
【０００６】
上記従来のフィルタ装置では、フィルタ回路を内蔵した中継接続具やコードプラグの接続対象が電気機器一般であり、消費電力が比較的小さいネットワーク端末だけでなく、消費電力が比較的大きい電気機器（例えば、掃除機やドライヤー）も接続され得る。
そして、かかる消費電力の大きい電気機器の使用に耐え得るフィルタ回路を構成するには、電流容量の大きなインダクタを使用する必要があるが、これではインダクタが大きくなってフィルタ回路を含む装置が肥大化するとともに、ＰＬＣシステム全体のコストアップに繋がるという欠点がある。
【０００７】
本発明は、このような実情に鑑み、消費電力が比較的小さい電気機器に使用するＡＣアダプタのみにフィルタの適用対象を限定するようにして、フィルタ回路を含む装置の小型化と、その装置を有するＰＬＣシステムのコストを低減することを目的とする。
【課題を解決するための手段】
【０００８】
上記目的を達成するため、本発明は次の技術的手段を講じた。
すなわち、本発明は、情報通信のための信号が重畳されている電力線中の商用電流をＡＣアダプタで直流電流に変換し、この直流電流により、ネットワーク端末とこの端末に通信可能に接続されたＰＬＣモデムとを駆動するようにした電力線通信装置の電源方式であって、
前記ＡＣアダプタのＡＣ／ＤＣコンバータの商用電源側に接続されかつ前記電力線中の商用電流を通過させるローパスフィルタと、このローパスフィルタの商用電源側において前記電力線中の通信信号を取り出して前記ＰＬＣモデムの変復調回路に入力するためのバイパス信号路と、を備えていることを特徴とする。
【０００９】
また、上記電源方式を採用した本発明に係る電力線通信装置は、より具体的には次の構成を備えている。
すなわち、本発明に係る電力線通信装置は、情報通信のための信号伝送路として兼用されている電力線に通じるＡＣ入力部と、このＡＣ入力部に入力された交流電流を直流電流に変換するＡＣ／ＤＣコンバータと、変換後の直流電流が出力されるＤＣコードとを有するＡＣアダプタと、
前記ＤＣコードが接続されるＤＣ入力部と、このＤＣ入力部に接続されたＤＣ電源回路と、このＤＣ電源回路で駆動される変復調回路と、前記ＤＣ入力部からの直流電流をネットワーク端末側に供給するためのＤＣ出力部と、前記変復調回路に接続された通信ポートとを有するＰＬＣモデムと、
前記ＡＣ／ＤＣコンバータの商用電源側に接続されかつ前記電力線中の商用電流を通過させるローパスフィルタと、
このローパスフィルタの商用電源側において前記電力線中の通信信号を取り出して前記ＰＬＣモデムの変復調回路に入力するためのバイパス信号路と、
を備えていることを特徴とする。
【００１０】
上記の本発明によれば、電力線中の商用電流を通過させるローパスフィルタがＡＣ／ＤＣコンバータの商用電源側に接続され、このローパスフィルタの商用電源側において電力線中の通信信号を取り出してＰＬＣモデムの変復調回路に入力するためのバイパス信号路が設けられているので、ＡＣアダプタのＡＣ／ＤＣコンバータのノイズやインピーダンスロスによるＰＬＣモデムの変復調回路に対する影響が防止ないし抑制される。
また、ＡＣアダプタに付属するＡＣコードには、当該ＡＣアダプタ以外の電気機器を接続することができず、かかるＡＣアダプタは、専ら消費電力が比較的小さい電気機器（例えばノートパソコン）に使用するものであり、消費電力が比較的高い電気機器（例えば、掃除機やドライヤー）に使用されることがない。このため、上記ローパスフィルタの許容電流を可及的に小さく抑えることができ、フィルタ回路の小型化が可能となる。
更に、本発明によれば、ＰＬＣモデムに対する電源供給がＡＣアダプタのＤＣ出力より行われるので、ＰＬＣモデム内にＡＣ／ＤＣ変換回路を設ける必要がなくなり、ＰＬＣモデム自体の小型化も可能になる。
【００１１】
本発明において、ＡＣアダプタがネットワーク端末用の専用品である場合には、このＡＣアダプタの商用電源側にフィルタ回路を内部に有する信号結合器を接続させる。この信号結合器の内部には、前記ローパスフィルタと、このローパスフィルタの商用電源側に接続されかつ前記電力線中の前記通信信号を通過させるハイパスフィルタとが設けられている。そして、かかる信号結合器を採用する場合には、前記バイパス信号路は、前記ハイパスフィルタを前記ＰＬＣモデムの変復調回路に接続する信号ケーブルから構成することができる。
【００１２】
一方、上記のように、ネットワーク端末用の専用品であるＡＣアダプタの商用電源側に信号結合器を接続する場合には、信号結合器とＰＬＣモデムとを信号ゲーブルで接続する必要があり、ＤＣコード以外の配線が必要になるため配線作業が繁雑になる。
そこで、このような不都合を解消するため、本発明は、ＡＣアダプタのＤＣコードを通信信号の伝送路として利用することにより、配線作業がより簡単となる点で好ましい電力線通信装置を更に提供する。
【００１３】
すなわち、かかる配線作業が容易な電力線通信装置では、前記ＡＣアダプタの内部に、前記ローパスフィルタと、前記電力線中の前記通信信号を通過させるハイパスフィルタと、このハイパスフィルタを経路中に含みかつ前記ローパスフィルタと前記ＡＣ／ＤＣコンバータとをバイパスして同ローパスフィルタの商用電源側と前記ＤＣコードとに接続された第一信号線とが設けられている。
また、前記ＰＬＣモデムの内部に、前記ＤＣコード中の直流を通過させる第二のローパスフィルタと、前記ＤＣコード中の前記通信信号を通過させる第二のハイパスフィルタと、このハイパスフィルタを経路中に含みかつ前記第二のローパスフィルタと前記ＤＣ電源とをバイパスして同ローパスフィルタの前記ＤＣ入力部側と前記変復調回路に接続された第二信号線とが設けられている。
【００１４】
この場合、電力線中の通信信号を取り出してＰＬＣモデムの変復調回路に入力するためのバイパス信号路を、前記ＡＣアダプタ内の前記第一信号線と、同ＡＣアダプタと前記ＰＬＣモデムとを結ぶ前記ＤＣコードと、前記ＰＬＣモデム内の前記第二信号線とから構成することができる。
このため、通信信号を伝送するための信号ケーブルをＰＬＣモデムに配線する必要がなく、ＡＣアダプタ側からのＰＬＣモデムに対する配線がＤＣコードだけとなるので、配線作業がより簡便になる。
【発明の効果】
【００１５】
以上の通り、本発明によれば、消費電力が比較的小さい電気機器に使用されるＡＣアダプタのみにフィルタの適用対象を限定したので、フィルタ回路を含む装置を小型化できるとともに、その装置を有するＰＬＣシステムのコストを低減することができる。
【発明を実施するための最良の形態】
【００１６】
以下、図面に基づいて、本発明の実施形態を説明する。
図１は、本発明の第一実施形態に係る電力線通信装置（以下、ＰＬＣ装置という。）１の全体構成を示している。
同図において、屋内に設置されたコンセント２は、分電盤（図示せず。）から分岐する複数系統の商用電源の電力線３のコンセントの一部であり、このコンセント２に通じる電力線３は、上位のネットワークと通信可能な宅外に設置された親機モデム（図示せず。）、或いは、宅内の異なるコンセントに接続されたＰＬＣ装置（図示せず。）と通じている。このため、かかる電力線３は、商用電源となる交流電流を導通させる機能だけでなく、情報通信のための信号伝送路としての機能を併有している。
【００１７】
図１に示すように、本実施形態のＰＬＣ装置１は、一つのＡＣアダプタ５と、このアダプタ５の商用電源側に接続された信号結合器６と、そのアダプタ５から電源供給されて駆動するＰＬＣモデム７と、このＰＬＣモデム７と通信可能に接続されたノートパソコン８として例示されるネットワーク端末から構成されている。
すなわち、このＰＬＣ装置１は、情報通信のための信号が重畳されている電力線３中の商用電流をＡＣアダプタ５で直流電流に変換し、この直流電流により、ネットワーク端末８とこの端末８に通信可能に接続されたＰＬＣモデム７とを駆動する電源方式を採用している。
【００１８】
本実施形態のＡＣアダプタ５は、ネットワーク端末８に付属している専用品であって、ほぼ直方体形状の筐体と、この筐体に取り付けられた２ピンのインレットよりなるＡＣ入力部１０と、同筐体の内部に収納されかつＡＣ入力部１０に入力された交流電流を直流電流に変換するＡＣ／ＤＣコンバータ１１とを備えており、筐体には変換後の直流電流が出力されるＤＣコード１２が一体に取り付けられている。
従って、後述する信号結合器６のＡＣ出力部２５が上記ＡＣ入力部１０に接続されると、このＡＣ入力部１０はＡＣコード１３を介して前記電力線３に導通される。なお、上記ＤＣコード１２はＡＣアダプタ５の筐体に対して着脱自在とすることもできる。
【００１９】
図２に示すように、前記ＰＬＣモデム７は、縦長の筐体と、この筐体に取り付けられたＤＣ用のインレットよりなるＤＣ入力部１４とを備えている。その筐体の内部には、ＤＣ入力部１４に接続されたＤＣ電源回路（ＤＣ／ＤＣコンバータ）１５と、このＤＣ電源回路１５で駆動される変復調回路１６とが収納されている。また、筐体には、後述する信号ケーブル２６が接続されるＰＬＣポート１７と、ネットワーク端末８と通信するためのＬＡＮケーブル１８が接続される通信ポート１９が取り付けられており、この各ポート１７，１９は上記変復調回路１６にそれぞれ接続されている。
更に、このＰＬＣモデム７は、ＤＣ入力部１４からの直流電流をそのままネットワーク端末８に供給するためのプラグよりなるＤＣ出力部２０を備えており、このＤＣ出力部２０は、筐体におけるＤＣ入力部１４とは反対側の部分に取り付けられている。
【００２０】
図３に示すように、前記信号結合器６は、ほぼ直方体形状の筐体と、この筐体の内部に収納されたローパスフィルタ２２及びハイパスフィルタ２３とを備えている。また、筐体には、前記ＡＣコード１３の先端部に設けられた２ピンのプラグ１３Ａが接続される２ピンのインレットよりなるＡＣ入力部２４と、２ピンのプラグよりなるＡＣ出力部２５とが取り付けられている。
上記ローパスフィルタ２２は、ＡＣ入力部２４とＡＣ出力部２５とを繋ぐ配線中に設けられている。他方、上記ハイパスフィルタ２３は、筐体内の配線中におけるローパスフィルタ２２とＡＣ入力部２４との間に接続されており、このハイパスフィルタ２３に、ＰＬＣモデム７に対して通信信号を伝送するための信号ケーブル２６が接続されている。
【００２１】
上記各フィルタ２２，２３のうち、ローパスフィルタ２２は、ＡＣ／ＤＣアダプタ１１のノイズや通信信号の周波数（数ｋＨｚから数十ＭＨｚ）に対しては高インピーダンスとなり、かつ、商用電流の周波数（５０Ｈｚ又は６０Ｈｚ）に対しては低インピーダンスとなるフィルタ回路よりなる。他方、ハイパスフィルタ２３は、逆に、通信信号の周波数に対しては低インピーダンスとなり、かつ、商用電流の周波数に対しては高インピーダンスとなるフィルタ回路よりなる。
【００２２】
ＡＣアダプタ５に信号結合器６を接続すると、その結合器６内のローパスフィルタ２２がＡＣ／ＤＣコンバータ１１の商用電源側に接続された状態となる。
また、上記ハイパスフィルタ２３により、ローパスフィルタ２２の商用電源側において電力線３中の通信信号が取り出される。従って、当該信号結合器６の信号ケーブル２６は、ＰＬＣモデム７のＰＬＣポート１７に接続されることにより、ハイパスフィルタ２３により取り出された通信信号を、ＡＣ／ＤＣコンバータ１１をバイパスしてＰＬＣモデム７の変復調回路１６に入力するためのバイパス信号路として機能する。
【００２３】
上記構成に係る本実施形態のＰＬＣ装置１によれば、信号結合器６をＡＣアダプタ５に接続し、かつ、その信号結合器６の信号ケーブル２６をＰＬＣモデム７に接続することにより、電力線３中の商用電流を通過させるローパスフィルタ２２がＡＣ／ＤＣコンバータ１１の商用電源側に接続され、また、このローパスフィルタ２２の商用電源側において電力線３中の通信信号を取り出してＰＬＣモデム７の変復調回路１６に入力するバイパス信号路が構成される。
このため、ＡＣアダプタ５のＡＣ／ＤＣコンバータ１１のノイズやインピーダンスロスによるＰＬＣモデム７の変復調回路１６に対する影響が防止ないし抑制され、通信の信頼性を高めることができるとともに、通信距離を長大化することができる。
【００２４】
また、ＡＣアダプタ５の付属品であるＡＣコード１３には、当該ＡＣアダプタ５以外の電気機器を接続することができない。そして、かかるＡＣアダプタ５は消費電力が小さいネットワーク端末（例えば、ノートパソコン）８に使用するものであり、消費電力が比較的高い電気機器（例えば、掃除機やドライヤー）に使用されることがないので、ローパスフィルタ２２の許容電流を可及的に小さく抑えることができ、フィルタ回路の小型化が可能となる。このため、そのフィルタ回路を含む信号結合器６を小型化できるとともに、ＰＬＣ装置１全体のコストを低減することができる。
また、ＰＬＣモデム７に対する電源供給がＡＣアダプタ５のＤＣ出力で行われるので、ＰＬＣモデム７内にＡＣ／ＤＣ変換回路を設ける必要がなくなり、このため、ＰＬＣモデム７自体の小型化が可能になるという利点もある。
【００２５】
図４は、本発明の第二実施形態に係るＰＬＣ装置１の全体構成を示している。
本実施形態のＰＬＣ装置１が第一実施形態のＰＬＣ装置１と異なる点は、ＡＣアダプタ５の内部に信号結合部を構成して、ＤＣコード１２を通信信号の伝送路として利用することにより、ユーザーによる配線作業をより単純化している点にある。
図６に示すように、この場合のＡＣアダプタ５も、直方体形状の筐体と、この筐体に取り付けられた２ピンのインレットよりなるＡＣ入力部１０と、同筐体の内部に収納されかつＡＣ入力部１０に入力された交流電流を直流電流に変換するＡＣ／ＤＣコンバータ１１とを備えており、筐体には変換後の直流電流が出力されるＤＣコード１２が一体に取り付けられている。
【００２６】
本実施形態のＡＣアダプタ５は、更に、第一ローパスフィルタ２８と第一ハイパスフィルタ２９を筐体の内部に備えている。
このうち、第一ローパスフィルタ２８は、ＡＣ入力部１０とＡＣ／ＤＣコンバータ１１との間に接続されており、第一ハイパスフィルタ２９は、筐体内の配線中における第一ローパスフィルタ２８とＡＣ入力部１０との間に接続されている。すなわち、この筐体内には、第一ハイパスフィルタ２９を経路中に含みかつ第一ローパスフィルタ２８とＡＣ／ＤＣコンバータ１１とをバイパスして同ローパスフィルタ２８の商用電源側とＤＣコード１２とに接続された第一信号線３０が設けられている。なお、本実施形態では、ＡＣ／ＤＣコンバータ１１の直流側にも別のローパスフィルタ３１が設けられている。
【００２７】
上記各フィルタ２８，２９，３１のうち、第一ローパスフィルタ２８は、ＡＣ／ＤＣコンバータ１１のノイズや通信信号の周波数（数ｋＨｚから数十ＭＨｚ）に対しては高インピーダンスとなり、かつ、商用電流の周波数（５０Ｈｚ又は６０Ｈｚ）に対しては低インピーダンスとなるフィルタ回路よりなる。他方、第一ハイパスフィルタ２９は、逆に、通信信号の周波数に対しては低インピーダンスとなり、かつ、商用電流の周波数に対しては高インピーダンスとなるフィルタ回路よりなる。
また、前記直流側のローパスフィルタ３１は、ＡＣ／ＤＣコンバータ１１のノイズや通信信号の周波数（数ｋＨｚから数十ＭＨｚ）に対しては高インピーダンスとなり、かつ、直流に対しては低インピーダンスとなるフィルタ回路よりなる。
【００２８】
一方、図５に示すように、本実施形態のＰＬＣモデム７も、縦長の筐体と、この筐体に取り付けられたＤＣ用のインレットよりなるＤＣ入力部１４とを備えている。その筐体の内部には、ＤＣ入力部１４に接続されたＤＣ電源回路（ＤＣ／ＤＣコンバータ）１５と、このＤＣ電源回路１５で駆動される変復調回路１６とが収納されている。筐体には、ネットワーク端末８と通信するためのＬＡＮケーブル１８が接続される通信ポート１９が取り付けられており、このポート１９は上記変復調回路１６に接続されている。
また、このＰＬＣモデム７も、ＤＣ入力部１４からの直流電流をそのままネットワーク端末８に供給するためのプラグよりなるＤＣ出力部２０を備えており、このＤＣ出力部２０は、筐体におけるＤＣ入力部１４とは反対側の部分に取り付けられている。
【００２９】
本実施形態のＰＬＣモデム７は、更に、第二ローパスフィルタ３２と第二ハイパスフィルタ３３を筐体の内部に備えている。
このうち、第二ローパスフィルタ３２は、筐体内の配線中におけるＤＣ入力部１４とＤＣ出力部２０との間に挿入されている。また、第二ハイパスフィルタ３３は、筐体内の配線中における第二ローパスフィルタ３２のＤＣ入力部１４側と変復調回路１６との間に挿入されている。すなわち、この筐体内には、第二ハイパスフィルタ３３を経路中に含みかつ第二ローパスフィルタ３２とＤＣ電源回路１５とをバイパスして同ローパスフィルタ３２のＤＣ入力部１４側と変復調回路１６とに接続された第二信号線３４が設けられている。
【００３０】
上記各フィルタ３２，３３のうち、第二ローパスフィルタ３２は、ネットワーク端末８のノイズや通信信号の周波数（数ｋＨｚから数十ＭＨｚ）に対しては高インピーダンスとなり、かつ、直流に対しては低インピーダンスとなるフィルタ回路よりなる。他方、第二ハイパスフィルタ３３は、逆に、通信信号の周波数に対しては低インピーダンスとなり、かつ、直流に対しては高インピーダンスとなるフィルタ回路よりなる。
【００３１】
上記構成に係る本実施形態のＰＬＣ装置１においては、電力線３中の商用電流を通過させる第一ローパスフィルタ２８がＡＣアダプタ５の内部においてＡＣ／ＤＣコンバータ１１の商用電源側に接続されているとともに、電力線３中の通信信号を取り出してＰＬＣモデム７の変復調回路１６に入力するためのバイパス信号路が、ＡＣアダプタ５内の第一信号線３０、ＡＣアダプタ５のＤＣコード１２及びＰＬＣモデム７内の第二信号線３４とから構成される。
従って、ＡＣアダプタ５のＡＣ／ＤＣコンバータ１１のノイズやインピーダンスロスによるＰＬＣモデム７の変復調回路１６に対する影響が防止ないし抑制され、この点で第一実施形態のＰＬＣ装置１と同様の作用効果を奏する。
【００３２】
また、本実施形態のＰＬＣ装置１においても、第一ローパスフィルタ２８を内蔵するＡＣアダプタ５は、消費電力の比較的高い電気機器（例えば、掃除機やドライヤー）に使用されることがないので、第一ローパスフィルタ２８の許容電流を可及的に小さく抑えることができ、フィルタ回路の小型化が可能となる。
しかも、ＰＬＣモデム７内にＡＣ／ＤＣ変換回路を設ける必要がなく、ＰＬＣモデム７自体の小型化も可能になり、この作用効果の点でも第一実施形態のＰＬＣ装置１と同様である。
【００３３】
そして、本実施形態のＰＬＣ装置１では、上記バイパス信号路が、ＡＣアダプタ５内の第一信号線３０、ＡＣアダプタ５のＤＣコード１２及びＰＬＣモデム７内の第二信号線３４で構成されるため、第一実施形態のＰＬＣ装置１の場合に必要であった通信信号を伝送するための信号ケーブル２６が不要となる。このため、同ケーブル２６をＰＬＣモデム７に配線する必要がなく、ＡＣアダプタ５側からのＰＬＣモデム７に対する配線がＤＣコード１２だけとなるので、第一実施形態のＰＬＣ装置１に比べて配線作業が簡便になるという利点がある。
【００３４】
なお、上記実施形態は例示であって制限的なものではない。本発明の範囲は特許請求の範囲によって規定され、そこに記載された構成と均等の範囲内のすべての変更も本発明の範囲に含まれる。
【図面の簡単な説明】
【００３５】
【図１】本発明の第一実施形態に係るＰＬＣ装置の全体構成を示す配線構造図である。
【図２】第一実施形態のＰＬＣ装置に用いるＰＬＣモデムの回路ブロック図である。
【図３】第一実施形態のＰＬＣ装置に用いる信号結合器の回路ブロック図である。
【図４】本発明の第二実施形態に係るＰＬＣ装置の全体構成を示す配線構造図である。
【図５】第二実施形態のＰＬＣ装置に用いるＰＬＣモデムの回路ブロック図である。
【図６】第二実施形態のＰＬＣ装置に用いるＡＣアダプタの回路ブロック図である。
【図７】従来のＰＬＣ装置の配線構造図である。
【符号の説明】
【００３６】
１      電力線通信装置（ＰＬＣ装置）
２      コンセント
３      電力線
５      ＡＣアダプタ
６      信号結合器
７      ＰＬＣモデム
８      ノートパソコン（ネットワーク端末）
１０      ＡＣ入力部
１１      ＡＣ／ＤＣコンバータ
１２      ＤＣコード
１４      ＤＣ入力部
１５      ＤＣ電源回路
１６      変復調回路
１９      通信ポート
２０      ＤＣ出力部
２２      ローパスフィルタ
２３      ハイパスフィルタ
２６      信号ケーブル（バイパス信号路）
２８      第一ローパスフィルタ
２９      第一ハイパスフィルタ
３０      第一信号線（バイパス信号路）
３２      第二ローパスフィルタ
３３      第二ハイパスフィルタ
３４      第二信号線（バイパス信号路）
【図１】
2007005982.tif 000003
【図２】
2007005982.tif 000004
【図３】
2007005982.tif 000005
【図４】
2007005982.tif 000006
【図５】
2007005982.tif 000007
【図６】
2007005982.tif 000008
【図７】
2007005982.tif 000009